【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
ビデオオンデマンドシステムであって：
ケーブルプロバイダから当該ケーブルプロバイダの利用者に配信可能なビデオを有するケーブルプロバイダと；
前記利用者に関連づけられるセットトップボックス（ＳＴＢ）と；
前記ＳＴＢに接続されるテレビと；
前記ＳＴＢと前記ケーブルプロバイダとを接続するケーブルテレビネットワークとを具え、前記ケーブルプロバイダが、前記ビデオのタイトルおよび説明情報を掲載するインターネットウェブサイトを具え、前記利用者が、インターネットに接続されたコンピュータを使って前記ウェブサイトにアクセスし、利用者識別（ＩＤ）情報を前記ケーブルプロバイダに提供してビデオを選択し；
前記ケーブルプロバイダが、前記利用者ＩＤ情報および前記選択されたビデオを示す情報を使って、前記選択されたビデオのタイトルを前記ケーブルテレビネットワークを介して前記ＳＴＢに配信し、当該ＳＴＢが、前記利用者により前に選択されたビデオのタイトルを前記テレビに表示させる前記ＳＴＢに対する指示に応じて、前記ウェブサイトから前記利用者に前に選択されたビデオのタイトルを前記テレビに表示させ、
前記ケーブルプロバイダが、前記ケーブルネットワークを介して、前に選択されたビデオを前記ＳＴＢに配信し、前記ＳＴＢが、前記利用者が選んだ前記選択したビデオのタイトルに応じて、前記テレビに表示することを特徴とするビデオオンデマンドシステム。
【請求項２】
請求項１に記載のシステムにおいて：
前記ケーブルプロバイダが、ビデオサーバのうちの所定の一つを前記ＳＴＢに接続する前記ケーブルテレビネットワークとともに、前記ビデオを記憶する複数のビデオサーバを具え、前記プロバイダが、前記所定のビデオサーバを前記利用者ＩＤ情報に基づいて特定し、
前記所定のビデオサーバが、前記利用者ＩＤ情報と前記選択されたビデオを示す情報を利用して、前記選択されたビデオのタイトルを、前記ケーブルテレビネットワークを介して前記ＳＴＢに配信し、
前記所定のビデオサーバが、前記ＳＴＢ用のケーブルテレビネットワークを介して、前記選択されたビデオを前記ＳＴＢに配信し、前記利用者が選んだ前記選択されたビデオのタイトルに応じて、前記テレビに表示することを特徴とするシステム。
【請求項３】
請求項２に記載のシステムにおいて：
前記利用者ＩＤ情報は、前記利用者のテレビに接続されるＳＴＢのＩＤを示し、前記所定のビデオサーバは、前記ＳＴＢのＩＤと前記選択されたビデオを示す情報を利用して、前記選択されたビデオのタイトルを前記ケーブルネットワークを介して前記ＳＴＢに配信し、
前記所定のビデオサーバが、前記ケーブルテレビネットワークを介して、前記選択されたビデオを少なくとも一つの前記ＳＴＢに配信し、当該少なくとも一つのＳＴＢが、前記利用者が選んだ前記選択されたビデオのタイトルに応じて、前記接続されるテレビに表示することを特徴とするシステム。
【請求項４】
請求項２に記載のシステムにおいて：
前記ケーブルプロバイダは、前記ウェブサイトが、利用可能なビデオタイトルの掲載に利用するために、利用可能なビデオを示すビデオリストデータを前記ウェブサイトに提供するアセットマネジメントシステム（ＡＭＳ）を有することを特徴とするシステム。
【請求項５】
請求項１に記載のシステムにおいて：
前記ケーブルプロバイダが、前記利用者が選んだ前記選択されたビデオのタイトルに応じて、前記選択されたビデオを前記ケーブルテレビネットワークを介して、前記ＳＴＢに関連するビデオレコーダに配信することを特徴とするシステム。
【請求項６】
利用者のテレビに接続され、ケーブルテレビネットワークを介してケーブルプロバイダに接続されたセットトップボックス（ＳＴＢ）を利用するビデオオンデマンド方法において、当該方法が；
前記ケーブルプロバイダから前記利用者に配信可能なビデオを前記ケーブルプロバイダに保存するステップと；
前記ケーブルプロバイダに関連するインターネットウェブサイトに、利用可能なビデオのタイトルを掲載するステップと；
前記利用者が前記ウェブサイトにアクセスして、前記利用者が利用者識別（ＩＤ）情報を前記ケーブルプロバイダに提供し、ビデオを選択するために、前記インターネットに接続されたコンピュータを利用するステップと；
前記ウェブサイトから前記ケーブルプロバイダに前記利用者ＩＤ情報と前記選択されたビデオを示す情報を送信するステップと；
前記利用者ＩＤ情報および前記選択されたビデオを示す情報を利用して、前記選択されたビデオのタイトルを前記ケーブルプロバイダから前記ケーブルテレビネットワークを介して前記ＳＴＢに配信するステップと；
前記選択されたビデオのタイトルを前記テレビに表示させる前記利用者の指示に応じて、前記利用者により前記ウェブサイトから前に選択されたビデオのタイトルを前記テレビに表示するために、前記ＳＴＢを動作させるステップと、
前記利用者が選んだ前に選択されたビデオのタイトルに応じて、前記ＳＴＢが前記テレビに表示するために、前記ケーブルテレビネットワークを介して、前に選択されたビデオを前記ケーブルプロバイダから前記ＳＴＢに配信するステップとを具えることを特徴とする方法。
【請求項７】
請求項６に記載の方法において、前記ケーブルプロバイダが、ビデオサーバの所定の一つを前記ＳＴＢに接続する前記ケーブルテレビネットワークとともに、前記ビデオを蓄積する複数のビデオサーバを具え、
前記選択されたビデオのタイトルを前記ＳＴＢに配信するステップは、前記所定のビデオサーバが、前記ケーブルテレビネットワークを介して、前記選択されたビデオのタイトルを前記ＳＴＢに配信するために、前記利用者ＩＤ情報と前記選択されたビデオを示す情報を利用するステップを含み；
前に選択されたビデオを前記ＳＴＢに配信するステップは、前記利用者が選ぶ前記選択されたビデオのタイトルに応じて前記ＳＴＢが前記テレビに表示するために、所定のビデオサーバが、前記ケーブルテレビネットワークを介して、前記選択されたビデオを前記ＳＴＢに配信するステップを含むことを特徴とする方法。
【請求項８】
請求項７に記載の方法において、前記ケーブルプロバイダが、アセットマネジメントシステム（ＡＭＳ）を具え、
前記利用可能なビデオのタイトルを前記ウェブサイトに掲載するステップは、前記ビデオのタイトルを掲載するために、前記ＡＭＳが、前記ビデオを示すビデオリストデータを前記ウェブサイトに提供するステップを含むことを特徴とする方法。
【請求項９】
請求項６に記載の方法がさらに：
前記利用者ＩＤ情報を基づいて前記利用者のサービスエリアを判断するステップを具え、
前記利用可能なビデオのタイトルを前記ウェブサイトに掲載するステップが、前記利用者のサービスエリアに関連して、前記利用可能なビデオのタイトルを前記ウェブサイトに掲載するステップを含むことを特徴とする方法。
【請求項１０】
請求項６に記載の方法において：
前記選択されたビデオを前記ケーブルプロバイダから前記ＳＴＢに配信するステップは、前記利用者が選んだ前に選択されたビデオに応じて、前記ケーブルテレビネットワークを介して、前記ケーブルプロバイダから前記ＳＴＢに接続されたビデオレコーダに前記選択されたビデオを配信するステップを含むことを特徴とする方法。
【請求項１１】
ビデオオンデマンドシステムであって：
ケーブルプロバイダから当該ケーブルプロバイダの利用者へ配信可能なビデオを有するケーブルプロバイダと；
前記利用者に関連するセットトップボックス（ＳＴＢ）と；
前記ＳＴＢに接続されるテレビと；
前記ビデオのタイトルおよび説明情報を掲載するインターネットウェブサイトを有する前記ケーブルプロバイダに、前記ＳＴＢを接続するケーブルテレビネットワークとを具え、前記利用者が、前記ウェブサイトにアクセスするために前記インターネットに接続されたコンピュータを使って、利用者識別（ＩＤ）情報を前記ケーブルプロバイダに提供してビデオを選択し；
前記ケーブルプロバイダが、前記利用者ＩＤ情報と選択されたビデオを示す情報を利用して、前記選択されたビデオのタイトルを前記ケーブルネットワークを介して前記ＳＴＢに配信し、前記ＳＴＢが前記テレビに前記選択されたビデオのタイトルを表示させて前記利用者が見られるようにし、；
前記ケーブルプロバイダが、前記ケーブルテレビネットワークを介して、前に選択されたビデオを前記ＳＴＢに配信し、前記利用者が選んだ前に選択されたビデオのタイトルに応じて、前記ＳＴＢが前記テレビに表示すること特徴とするシステム。